(57)【特許請求の範囲】
【請求項１】
表面側に第１粘着材層を備え裏面側に第２粘着材層を備えたテープ層と、前記テープ層の両端に貼着され非粘着性の持ち手部と、前記第１粘着材層に仮貼着した剥離紙と、を備えたテープ本体部と、
前記テープ本体部を複数担持する台紙部と、を有する二重瞼形成テープにおいて、
前記テープ層が、合成樹脂製の基材層と、肌色系の色で着色された不織布層と、を有する着色テープ層であり、
前記着色テープ層が、使用者の瞼に貼着する幅の狭い二重瞼形成部と、前記二重瞼形成部の両端に位置し持ち手部が貼着する両端部と、を備え、
前記持ち手部は前記二重瞼形成部よりも幅が広く、
さらに、前記台紙部上に担持された複数のテープ本体部の持ち手部の長手方向が互いに隣接し、
隣り合う二重瞼形成部の間に、第１粘着材層と第２粘着材層と基材層と不織布層とを備え前記二重瞼形成部よりも長いテープ余剰部を有し、
前記テープ余剰部を二重瞼を形成するテープとして使用可能とすることを特徴とする二重瞼形成テープ。
【請求項２】
両端部の幅が、二重瞼形成部側から端部側に向かって徐々に広がることを特徴とする請求項１記載の二重瞼形成テープ。
【請求項３】
両端部の幅が、二重瞼形成部の両側から互いに７°〜１１°の角度で持ち手部の幅まで広がることを特徴とする請求項２記載の二重瞼形成テープ。
【請求項４】
二重瞼形成部の長さが４０ｍｍ〜５０ｍｍであり、二重瞼形成部の幅が０．５ｍｍ〜０．８ｍｍであり、持ち手部の幅が１．５ｍｍ〜２．５ｍｍであることを特徴とする請求項１乃至請求項３のいずれかに記載の二重瞼形成テープ。
【請求項５】
一方の面に第１粘着材層を有し他方の面が肌色系の色で着色された不織布層で構成される不織布シートの前記不織布層と、一方の面に第２粘着材層と剥離紙シートを有し他方の面に第３粘着材層と剥離紙シートを有した基材シートの前記第３粘着材層と、を貼着して着色テープ層を形成するステップと、
離形処理の施された台紙シート上に帯状の持ち手フィルムを所定の間隔を開けて平行に載置して、双方の前記持ち手フィルムの内側部分に前記第２粘着材層が重なるように前記着色テープ層を貼着することで、前記着色テープ層を前記台紙シート上に仮貼着するとともに、前記着色テープ層の両側縁に前記持ち手フィルムの内側部分を接着するステップと、
所定の刃型によって前記着色テープ層と前記持ち手フィルムとを打ち抜いて、前記持ち手フィルムを所定の幅に切断した持ち手部と、前記持ち手フィルムと前記着色テープ層との重なり部分を内側から外側に向かって広がるように打ち抜いた両端部と、前記両端部間の前記着色テープ層を所定の幅で打ち抜いた二重瞼形成部と、を有するテープ本体部を前記台紙シート上に形成するとともに、隣り合う前記テープ本体部の二重瞼形成部の間に前記着色テープ層で構成され前記二重瞼形成部よりも長いテープ余剰部を形成するステップと、
を有することを特徴とする二重瞼形成テープの製造方法。
【発明の詳細な説明】
【技術分野】
【０００１】
本発明は、人の瞼に貼着して二重瞼を形成する二重瞼形成テープ及びその二重瞼形成テープの製造方法に関するものである。
【背景技術】
【０００２】
従来から、人の瞼を折り畳むようにして貼着し二重瞼を形成する二重瞼形成テープが商品化されている。このような二重瞼形成テープとして下記［特許文献１］に記載の発明が挙げられる。
【先行技術文献】
【特許文献】
【０００３】
【特許文献１】特許第３２７７１８０号公報
【発明の概要】
【発明が解決しようとする課題】
【０００４】
しかしながら、［特許文献１］に記載の発明は、テープ自体が透明な合成樹脂製で光沢があり、瞼を閉じた時などに人目に付く虞がある。この問題点に関し、テープ自体を肌色系の塗料で着色することが考えられる。しかしながら、テープ自体が平滑なため、たとえ肌色で着色したとしても依然テープには光沢が存在し、着色の効果は限定的となる。
【０００５】
また、これら二重瞼形成テープは、基本的に折り畳んだ瞼内に隠して使用する。従って、二重瞼形成テープの幅寸法は細い方が好ましい。しかしながら、二重瞼形成テープの幅寸法が過度に細い場合、ハンドリング性が悪く貼着しづらいという問題点がある。この点［特許文献１］に記載の発明では、二重瞼形成テープを延伸して糸状にし、これを使用者の瞼に貼着し弾性的な伸縮によって二重瞼を形成する。しかしながら、［特許文献１］に記載の発明は、使用者が不慣れな場合に二重瞼形成テープを適切な長さに延伸することができず、ある程度の熟練を要するという問題点がある。
【０００６】
本発明は上記事情に鑑みてなされたものであり、光沢が無く目立ちにくい二重瞼形成テープ及びその二重瞼形成テープの製造方法を提供することを目的とする。また、ハンドリング性に優れ二重瞼の形成を容易に行うことが可能な二重瞼形成テープ及びその二重瞼形成テープの製造方法を提供することを目的とする。
【課題を解決するための手段】
【０００７】
本発明は、
（１）表面側に第１粘着材層３２ａを備え裏面側に第２粘着材層３２ｂを備えたテープ層と、前記テープ層の両端に貼着され非粘着性の持ち手部３４と、前記第１粘着材層３２ａに仮貼着した剥離紙３６と、を備えたテープ本体部４０と、
前記テープ本体部４０を複数担持する台紙部４２と、を有する二重瞼形成テープにおいて、
前記テープ層が、合成樹脂製の基材層３１と、肌色系の色で着色された不織布層３７と、を有する着色テープ層４８であり、
前記着色テープ層４８が、使用者の瞼に貼着する幅の狭い二重瞼形成部３８と、前記二重瞼形成部３８の両端に位置し前記持ち手部３４が貼着する両端部３９と、を備え、
前記持ち手部３４は前記二重瞼形成部３８よりも幅が広く、
さらに、前記台紙部４２上に担持された複数のテープ本体部４０の持ち手部３４の長手方向が互いに隣接し、
隣り合う二重瞼形成部３８の間に、第１粘着材層３２ａと第２粘着材層３２ｂと基材層３１と不織布層３７とを備え前記二重瞼形成部３８よりも長いテープ余剰部４４を有し、
前記テープ余剰部４４を二重瞼を形成するテープとして使用可能とすることを特徴とする二重瞼形成テープ８０を提供することにより、上記課題を解決する。
（２）両端部３９の幅が、二重瞼形成部３８側から端部側に向かって徐々に広がることを特徴とする上記（１）記載の二重瞼形成テープ８０を提供することにより、上記課題を解決する。
（３）両端部３９の幅が、二重瞼形成部３８の両側から互いに７°〜１１°の角度で持ち手部３４の幅まで広がることを特徴とする上記（２）記載の二重瞼形成テープ８０を提供することにより、上記課題を解決する。
（４）二重瞼形成部３８の長さが４０ｍｍ〜５０ｍｍであり、二重瞼形成部３８の幅が０．５ｍｍ〜０．８ｍｍであり、持ち手部３４の幅が１．５ｍｍ〜２．５ｍｍであることを特徴とする上記（１）乃至（３）のいずれかに記載の二重瞼形成テープ８０を提供することにより、上記課題を解決する。
（５）一方の面に第１粘着材層３２ａ’を有し他方の面が肌色系の色で着色された不織布層３７’で構成される不織布シート３５’の前記不織布層３７’と、一方の面に第２粘着材層３２ｂ’と剥離紙シート３６’’を有し他方の面に第３粘着材層３２ｃ’と剥離紙シート３６’’’を有した基材シート３０’の前記第３粘着材層３２ｃ’と、を貼着して着色テープ層４８’を形成するステップと、
離形処理の施された台紙シート４２’上に帯状の持ち手フィルム３４’を所定の間隔を開けて平行に載置して、双方の前記持ち手フィルム３４’の内側部分に前記第２粘着材層３２ｂ’が重なるように前記着色テープ層４８’を貼着することで、前記着色テープ層４８’を前記台紙シート４２’上に仮貼着するとともに、前記着色テープ層４８’の両側縁に前記持ち手フィルム３４’の内側部分を接着するステップと、
所定の刃型によって前記着色テープ層４８’と前記持ち手フィルム３４’とを打ち抜いて、前記持ち手フィルム３４’を所定の幅に切断した持ち手部３４と、前記持ち手フィルム３４’と前記着色テープ層４８’との重なり部分を内側から外側に向かって広がるように打ち抜いた両端部３９と、前記両端部３９間の前記着色テープ層４８’を所定の幅で打ち抜いた二重瞼形成部３８と、を有するテープ本体部４０を前記台紙シート４２’上に形成するとともに、隣り合う前記テープ本体部４０の二重瞼形成部３８の間に前記着色テープ層４８’で構成され前記二重瞼形成部３８よりも長いテープ余剰部４４を形成するステップと、
を有することを特徴とする二重瞼形成テープの製造方法を提供することにより、上記課題を解決する。
【発明の効果】
【０００８】
本発明に係る二重瞼形成テープのテープ本体部は、肌色系の色で着色された不織布層を有している。このため、人間の肌に自然な感じで調和し、テープ本体部が二重瞼から見えた場合でも目立たず、他者に違和感を与えることもない。また、本発明に係る二重瞼形成テープのテープ本体部は、二重瞼を形成する二重瞼形成部の幅が狭く、持ち手部の幅が広く形成されている。よって、ハンドリング性に優れ二重瞼の形成を容易に行うことができる。さらに、二重瞼形成テープの間のテープ余剰部も二重瞼を形成するテープとして使用することができる。
【図面の簡単な説明】
【０００９】
【図１】本発明に係る二重瞼形成テープを示す図である。
【図２】本発明に係る二重瞼形成テープのテープ本体部を説明する図である。
【図３】本発明に係るテープ本体部の両端部を説明する図である。
【図４】本発明に係る二重瞼形成テープの製造方法を説明する図である。
【図５】本発明に係る二重瞼形成テープの製造方法を説明する図である。
【図６】本発明に係る二重瞼形成テープの使用方法を説明する図である。
【発明を実施するための形態】
【００１０】
本発明に係る二重瞼形成テープ８０の実施の形態について図面に基づいて説明する。図１は本発明に係る二重瞼形成テープ８０の基本構成を示す図である。また、図２（ａ）は本発明に係る二重瞼形成テープ８０のテープ本体部４０の層構成を説明する模式側面図である。また、図２（ｂ）はテープ本体部４０の正面図である。
【００１１】
図１に示す二重瞼形成テープ８０は、複数のテープ本体部４０が形成された二重瞼形成テープ連接シート４６と、この二重瞼形成テープ連接シート４６を仮貼着して担持する台紙部４２と、を有している。そして、二重瞼形成テープ８０のテープ本体部４０は、図２（ａ）に示すように、着色テープ層４８と、この着色テープ層４８の両端に貼着され非粘着性の持ち手部３４と、を有している。
【００１２】
また、着色テープ層４８は、基材テープ層３０と不織布シート層３５とで構成され、基材テープ層３０は、基材層３１と、この基材層３１の表面側に形成された第３粘着材層３２ｃと、基材層３１の裏面側に形成された第２粘着材層３２ｂとを有している。また、不織布シート層３５は、肌色系の色で着色された不織布層３７と、この不織布層３７の一方の面に形成された第１粘着材層３２ａと、を有している。尚、不織布シート層３５の第１粘着材層３２ａの表面には、保管時等に第１粘着材層３２ａの粘着力の劣化を防止する剥離紙３６が仮貼着している。この剥離紙３６としては、周知の紙製の剥離紙を用いることが好ましい。
【００１３】
そして、着色テープ層４８は、基材テープ層３０の第３粘着材層３２ｃに、不織布シート層３５の不織布層３７が貼着することで構成される。よって、着色テープ層４８の表面側には不織布シート層３５の第１粘着材層３２ａが位置し、着色テープ層４８の裏面側には基材テープ層３０の第２粘着材層３２ｂが位置する。
【００１４】
基材テープ層３０を構成する基材層３１は、伸縮性を有さないポリエステル等の合成樹脂フィルムを用いることが好ましく、その厚みは２０μｍ〜３０μｍとすることが好ましい。ここで、基材層３１の厚みが２０μｍ未満の場合、基材テープ層３０の硬度が不十分でハンドリング性が悪化する可能性が有る。また、基材層３１が３０μｍを越えた場合、基材テープ層３０が硬く瞼への貼着後に使用者が違和感を覚える可能性が有る。
【００１５】
また、不織布シート層３５を構成する不織布層３７は、レーヨン等の再生繊維やポリエステル、ポリウレタン等の合成繊維等の不織布で構成され、肌色系の色によって着色されている。また、剥離紙３６を除いた不織布シート層３５の厚みは１００μｍ〜２００μｍ程度が好ましく、１４０μｍが特に好ましい。ここで、「肌色系の色」とは全人種を対象とした人の肌と同一もしくは近似する色で、例えばＣＩＥＬａｂ表色系において、Ｌ値＝１０〜９０、ａ値＝５〜４０、ｂ値＝５〜４０の範囲に含まれる色を指し、濃褐色、褐色、淡褐色、黄褐色、ベージュ（明るい薄茶色）、稍赤みを帯びた淡黄色等を含むものである。
【００１６】
ここで、合成樹脂製のフィルムを肌色系の塗料にて着色した場合、前述のように、テープ表面が平滑なため、表面に光沢が発生する。このため、肌色を呈していても質感が人間の肌と大きく異なり、その効果は限定的となる。しかしながら、本発明に係るテープ本体部４０は肌色系の色で着色された不織布を使用する。不織布は繊維を不規則に絡げて構成したものであり、その表面にはランダムな凹凸が存在する。このため、無用な光沢が発生せず、人間の肌と同等の自然な質感と色調とを得ることができる。これにより、本発明に係るテープ本体部４０は、たとえテープ本体部４０が二重瞼から見えた場合でも目立たず、他者に違和感を与えることもない。
【００１７】
また、基材テープ層３０、不織布シート層３５の第１粘着材層３２ａ、第２粘着材層３２ｂ、第３粘着材層３２ｃは人体の皮膚に使用しても害のないアクリル系の粘着剤を用いることが好ましく、その厚さは２０μｍ〜４０μｍ、好適には３０μｍ±５μｍ程度とすることが好ましい。
【００１８】
また、着色テープ層４８は、図２（ｂ）に示すように、使用者の瞼に貼着する幅の狭い二重瞼形成部３８と、二重瞼形成部３８の両端に位置し持ち手部３４が貼着する両端部３９と、を有することが好ましい。そして、二重瞼形成部３８の長さは一般的な人間の瞼の幅より若干長い４０ｍｍ〜５０ｍｍとすることが好ましい。尚、二重瞼形成部３８の長さが４０ｍｍ未満の場合、二重瞼形成部３８の長さが足りず二重瞼を良好に形成することができない可能性が有る。また、二重瞼形成部３８の長さが５０ｍｍを越えた場合、余剰部分が多くなりハンドリング性に劣るとともに、二重瞼形成テープ８０の大型化とそれに伴うコスト増を招くこととなる。また、二重瞼形成部３８の幅は細い方が二重瞼内に隠し易く好ましい。しかしながら、二重瞼形成部３８の幅が細すぎるとハンドリング性が却って悪化するため、二重瞼形成部３８の幅は０．５ｍｍ〜０．８ｍｍ程度とすることが好ましい。
【００１９】
また、着色テープ層４８の両端部３９は、幅の狭い二重瞼形成部３８と、この二重瞼形成部３８よりも幅の広い持ち手部３４とを繋ぐものであり、二重瞼形成部３８側から端部側（外側）に向かって徐々に広がるように形成することが好ましい。特に、図３に示すように、二重瞼形成部３８の側辺と両端部３９との角度θが、二重瞼形成部３８の両側縁から互いに７°〜１１°の角度の範囲で持ち手部３４の幅まで広がるように形成することが好ましい。この角度範囲であれば、使用者が持ち手部３４を摘まんで台紙部４２からテープ本体部４０をスムーズに剥離することができる。また、この角度範囲であれば、後述のテープ余剰部４４の両端が適度に尖り、使用者がテープ余剰部４４を台紙部４２から容易に剥離することができる。
【００２０】
テープ本体部４０を構成する持ち手部３４は、使用者がテープ本体部４０を台紙部４２から剥離したり、テープ本体部４０を使用者の瞼に貼着したりする際に持つ部位であり、着色テープ層４８の両端部３９に第２粘着材層３２ｂを介して固定される。この持ち手部３４は、粘着材層を有さないＰＥＴ（ポリエチレンテレフタレート）等の合成樹脂フィルムで形成することが好ましく、その厚みは数μｍ〜２０μｍ程度とすることが好ましい。また、持ち手部３４は使用者が掴み易いように二重瞼形成部３８よりも広い幅を有しており、その幅は１．５ｍｍ〜２．５ｍｍが好ましく、特に２ｍｍ前後とすることが好ましい。ここで、持ち手部３４の幅が２．５ｍｍを越えた場合、部材の無駄が多くなる他、後述のテープ余剰部４４の幅が広くなり、このテープ余剰部４４を二重瞼を形成するテープとして使用する際に支障をきたす可能性が有る。また、持ち手部３４は、使用者が容易に視認できるよう着色することが好ましい。この持ち手部３４の色彩に特に限定はないが、表面側を金色、裏面側を銀色とすることが美観上最も好ましい。
【００２１】
また、テープ本体部４０を担持する台紙部４２は、少なくとも一方の面が離形処理された所定の厚みのＰＥＴ等の合成樹脂フィルムで構成され、離形処理された面にテープ本体部４０の第２粘着材層３２ｂが仮貼着することでテープ本体部４０を担持する。
【００２２】
尚、テープ本体部４０は、図１に示すように、持ち手部３４の長手方向が互いに隣接する状態で台紙部４２上に形成する。これにより、本発明に係る二重瞼形成テープ８０はテープ本体部４０を高密度で形成することが可能となり、台紙１枚あたりの取り個数の向上と余剰部分の削減によるコスト低減とを図ることができる。
【００２３】
また、持ち手部３４の長手方向を互いに隣接させることで、隣接する２つのテープ本体部４０の間には、二重瞼形成部３８と両端部３９の切れ目によって閉じたテープ余剰部４４が形成される。このテープ余剰部４４は、テープ本体部４０と同様に着色テープ層４８で構成され、基材層３１と、肌色に着色された不織布層３７と、着色テープ層４８の表面側に形成された第１粘着材層３２ａと、この第１粘着材層３２ａをカバーする剥離紙３６と、着色テープ層４８の裏面側に形成された第２粘着材層３２ｂと、を備えている。そして、このテープ余剰部４４の長さは二重瞼形成部３８よりも長く、二重瞼を形成するテープとして十分な長さを有している。また、仮に二重瞼形成部３８の幅を０．６５ｍｍ、持ち手部３４の幅を２．１５ｍｍとしたときに、テープ余剰部４４の幅は１．５ｍｍであり、二重瞼の形成に十分使用可能な幅を有している。従って、本発明に係る二重瞼形成テープ８０は、テープ本体部４０間に形成されるテープ余剰部４４も二重瞼を形成するテープとして使用することができる。これにより、使用者はテープ余剰部４４を二重瞼の形成の練習に用いたり、予備の二重瞼形成テープとして使用したりすることができる。
【００２４】
尚、前述のように着色テープ層４８の両端部３９を二重瞼形成部３８側から端部側（外側）に向かって徐々に広がるように形成することで、テープ余剰部４４の両端は適度に尖った形状となり、使用者は台紙部４２からテープ余剰部４４を容易に剥離することができる。また、テープ余剰部４４の両端部分を二重瞼内に比較的容易に隠すことができる。
【００２５】
次に、本発明に係る二重瞼形成テープ８０の製造方法を説明する。先ず、図４（ａ）に示すように、帯状の不織布シート３５’と帯状の基材シート３０’とを用意する。この不織布シート３５’は、肌色系の色で着色された不織布層３７’と、この不織布層３７’の一方の面（表面側）に形成されたアクリル系の粘着剤からなる第１粘着材層３２ａ’と、この第１粘着材層３２ａ’をカバーする剥離紙シート３６’と、を有している。また、基材シート３０’はポリエステル等の合成樹脂からなる基材層３１’と、この基材層３１’の一方の面（表面側）に形成されたアクリル系の粘着剤からなる第３粘着材層３２ｃ’と、この第３粘着材層３２ｃ’をカバーする剥離紙シート３６’’’と、基材層３１’の他方の面（裏面側）に形成され同じくアクリル系の粘着剤からなる第２粘着材層３２ｂ’と、この第２粘着材層３２ｂ’をカバーする剥離紙シート３６’’と、を有している。
【００２６】
次に、基材シート３０’の剥離紙シート３６’’’を剥離する。そして、露出した第３粘着材層３２ｃ’と不織布シート３５’の不織布層３７’とを貼着する。これにより、図４（ｂ）に示すように、帯状の着色テープ層４８’が形成される。
【００２７】
次に、図４（ｃ）に示すように、二重瞼形成テープ８０の台紙部４２となり一面が離形処理された帯状の台紙シート４２’と、テープ本体部４０の持ち手部３４となり所定の幅の帯状の持ち手フィルム３４’と、を用意する。
【００２８】
次に、台紙シート４２’の離形処理の施された面に持ち手フィルム３４’を所定の間隔を開けて２本平行に載置する。このときの持ち手フィルム３４’の間隔は二重瞼形成部３８の長さと略同等もしくは、それよりも若干広い間隔である。
【００２９】
次に、着色テープ層４８’の裏面側の剥離紙シート３６’’を剥がし、２本の持ち手フィルム３４’の内側部分に着色テープ層４８’の側縁が所定の幅だけ重なるように貼着する。このときの着色テープ層４８’と持ち手フィルム３４’との重なり部分の幅は、テープ本体部４０の両端部３９の長さと略同等もしくは、それよりも若干長い幅である。これにより、図４（ｄ）に示すように、着色テープ層４８’の両側縁に持ち手フィルム３４’の内側部分が接着し、両持ち手フィルム３４’間に位置する着色テープ層４８’の第２粘着材層３２ｂ’が台紙シート４２’の離形処理面に仮貼着する。
【００３０】
次に、所定の刃型によるプレス打ち抜き等により、台紙シート４２’上の着色テープ層４８’及び持ち手フィルム３４’を所定の形状に打ち抜く。この際、刃型は台紙シート４２’の表層部分までしか到達せず、刃型によって台紙シート４２’が打ち抜かれることはない。これにより、図５（ａ）に示すように、台紙シート４２’上の持ち手フィルム３４’が所定の幅間隔で切断され、テープ本体部４０の持ち手部３４が形成される。尚、持ち手フィルム３４’は間隙を取らず連続的に切断される。これにより、持ち手部３４の長手方向の側辺は隣のテープ本体部４０の持ち手部３４の長手方向の側辺と隣接する。また、着色テープ層４８’と持ち手フィルム３４’との重なり部分は、持ち手部３４側（外側）から内側に向かって狭まるように（着色テープ層４８’の内側から外側（持ち手部３４側）に広がるように）打ち抜かれ、着色テープ層４８の両端部３９が形成される。また、両端部３９間の着色テープ層４８’は、両端部３９の内側端部と略同等の幅で打ち抜かれ、着色テープ層４８の二重瞼形成部３８が形成される。これにより、台紙シート４２’上にテープ本体部４０が複数連接した二重瞼形成テープ連接シート４６が形成される。また、２つのテープ本体部４０の二重瞼形成部３８の間には、両端部３９と二重瞼形成部３８の切断線によって閉じたテープ余剰部４４が形成される。
【００３１】
次に、図５（ｂ）に示すように、着色テープ層４８’と持ち手フィルム３４’の余剰部分を剥離して除去する。次に、台紙シート４２’を二重瞼形成テープ連接シート４６の間で切断する。これにより、台紙部４２上に複数のテープ本体部４０が担持された二重瞼形成テープ８０が製造される。
【００３２】
次に、本発明に係る二重瞼形成テープ８０の特にテープ本体部４０の使用方法を説明する。尚、テープ余剰部４４の使用方法は周知の二重瞼形成テープと同等のため省略する。
【００３３】
先ず、使用者がテープ本体部４０の持ち手部３４の一方を摘まんで台紙部４２から剥離する。このとき、図６（ａ）に示すように、台紙部４２の一方を湾曲させることで持ち手部３４が浮き上がり、使用者は容易に持ち手部３４を摘まむことができる。次に、テープ本体部４０の剥離紙３６を着色テープ層４８から剥離する。これにより、着色テープ層４８の第１粘着材層３２ａ、第２粘着材層３２ｂの粘着面が露出する。
【００３４】
次に、図６（ｂ）、（ｃ）に示すように、テープ本体部４０の二重瞼形成部３８を使用者の瞼に押し込み、二重瞼形成部３８の第１粘着材層３２ａ、第２粘着材層３２ｂによって使用者の瞼を折り畳むように貼着する。
【００３５】
次に、図６（ｄ）に示すように、二重瞼形成部３８の両端近傍を切断し、持ち手部３４側を両端部３９ごと除去する。
【００３６】
次に、二重瞼形成部３８の位置や形成した二重瞼の形状をヘラやスティック等で整える。これにより、図６（ｅ）に示すように、使用者の瞼に二重が形成される。
【００３７】
以上のように、本発明に係る二重瞼形成テープ８０のテープ本体部４０は、肌色系の色で着色された不織布層３７を有している。この不織布層３７は繊維を不規則に絡げて構成され表面にランダムな凹凸を有している。よって、肌色に着色した場合でも無用な光沢が生じない。これにより、人間の肌に自然な感じで調和し、たとえ二重瞼形成部３８が二重瞼から見えた場合でも目立たず、他者に違和感を与えることもない。
【００３８】
また、本発明に係る二重瞼形成テープ８０のテープ本体部４０は、二重瞼を形成する二重瞼形成部３８の幅が狭く、持ち手部３４の幅が広く形成されている。このため、使用者は幅の広い持ち手部３４を持って、テープ本体部４０を楽に取り扱うことができる。また、二重瞼形成部３８の幅が狭いため、二重瞼の形成を綺麗に行うことができる。また、テープを二重瞼内に容易に隠すことができる。
【００３９】
また、本発明に係る二重瞼形成テープ８０は、持ち手部３４の長手方向を互いに隣接して形成することで、より多くのテープ本体部４０を一つの台紙部４２上に形成することができる。これにより、台紙部４２あたりの取り個数の向上と余剰部分の削減によるコスト低減とを図ることができる。また、持ち手部３４の長手方向を互いに隣接して形成することで、隣接する２つのテープ本体部４０の間に二重瞼形成部３８と両端部３９の切れ目によって閉じたテープ余剰部４４を形成する。そして、このテープ余剰部４４も二重瞼を形成するテープとして使用することができる。
【００４０】
尚、本例で示した二重瞼形成テープ８０、テープ本体部４０の各部の形状、寸法、層構成、材質等は一例であり、本発明は本発明の要旨を逸脱しない範囲で変更して実施することが可能である。
【符号の説明】
【００４１】
３１    基材層
３２ａ、３２ａ’  第１粘着材層
３２ｂ、３２ｂ’  第２粘着材層
３２ｃ、３２ｃ’  第３粘着材層
３４    持ち手部
３６    剥離紙
３７、３７’  不織布層
３８    二重瞼形成部
３９    両端部
４０    テープ本体部
４２    台紙部
４４    テープ余剰部
４８、４８’  着色テープ層
３０’  基材シート
３４’  持ち手フィルム
３５’  不織布シート
３６’、３６’’、３６’’’  剥離紙シート
４２’  台紙シート
８０    二重瞼形成テープ
【要約】
【課題】光沢が無く目立ちにくい二重瞼形成テープ及びその二重瞼形成テープの製造方法を提供する。また、ハンドリング性に優れ二重瞼の形成を容易に行うことが可能な二重瞼形成テープ及びその二重瞼形成テープの製造方法を提供する。
【解決手段】この二重瞼形成テープ８０のテープ本体部４０は、肌色系の色で着色された不織布層３７を有している。これにより、たとえ二重瞼形成部３８が二重瞼から見えた場合でも目立たず、他者に違和感を与えることもない。また、二重瞼を形成する二重瞼形成部３８の幅が狭く、持ち手部３４の幅が広く形成されている。このため、テープ本体部４０を楽に取り扱うことができる。さらに、持ち手部３４の長手方向を互いに隣接して形成することで、テープ本体部４０の間にテープ余剰部４４を形成する。このテープ余剰部４４は二重瞼を形成するテープとして使用可能である。
【選択図】図１【図１】
0005690437.tif 000002
【図２】
0005690437.tif 000003
【図３】
0005690437.tif 000004
【図４】
0005690437.tif 000005
【図５】
0005690437.tif 000006
【図６】
0005690437.tif 000007